(57)【特許請求の範囲】
【請求項１】
時刻を示す為に用いられる複数のインデックスが備えられた文字盤と、
前記インデックスのそれぞれが設けられた領域のうち、少なくとも２以上の領域に前記インデックスを強調するインデックス強調部と、
前記インデックス強調部のそれぞれを制御する制御部と、を備え、
前記文字盤は、開口部を備え、
前記インデックス強調部は色彩部分を有する色彩部材を備え、
前記制御部は、前記色彩部材を動かすことにより、前記開口部における色彩を前記文字盤に対して時刻を強調するように変更するものであることを特徴とする腕時計。
【請求項２】
時刻を示す為に用いられる複数のインデックスが備えられた文字盤と、
前記インデックスのそれぞれが設けられた領域のうち、少なくとも２以上の領域に前記インデックスを強調するインデックス強調部と、
前記インデックス強調部のそれぞれを制御する制御部と、を備え、
前記インデックス強調部は、前記インデックスを備え、
前記文字盤は、開口部を備え、
前記インデックス強調部は、第１色彩部分と第２色彩部分を有する色彩部材を備え、
前記制御部は、前記色彩部材を動かすことにより、前記開口部における前記色彩部材の色彩を、前記第１色彩部分または前記第２色彩部分に変更するものであり、
前記インデックスは、前記開口部と前記開口部における前記第１色彩部分または前記第２色彩部分とにより構成されることを特徴とする腕時計。
【請求項３】
前記色彩部材は、回転部材であり、
前記制御部は、前記回転部材を回転させることにより、前記第１色彩部分または前記第２色彩部分の何れかを前記開口部に選択的に移動させることを特徴とする請求項２に記載の腕時計。
【請求項４】
前記回転部材は、前記文字盤に対して垂直方向に回転する歯車であり、
前記第１色彩部分と前記第２色彩部分とは、前記歯車の前記文字盤に対向する面に配色されていることを特徴とする請求項３に記載の腕時計。
【請求項５】
前記回転部材は、前記文字盤に対して平行方向に回転する歯車であり、
前記第１色彩部分と前記第２色彩部分とは、前記歯車の前記文字盤に対向する面に配色されていることを特徴とする請求項３に記載の腕時計。
【請求項６】
前記回転部材は、前記文字盤に対して垂直方向に回転面を有し、長手方向を軸として回転する回転棒であり、
前記第１色彩部分と前記第２色彩部分とは、前記回転棒の前記文字盤に対向しうる面に配色されていることを特徴とする請求項３に記載の腕時計。
【請求項７】
前記回転部材は、前記文字盤に対して平行方向に回転する回転羽根であり、
前記第１色彩部分と前記第２色彩部分とは、前記回転羽根の前記文字盤に対向する面に配色されていることを特徴とする請求項３に記載の腕時計。
【請求項８】
前記色彩部材は、前記第１色彩部分または前記第２色彩部分のいずれか一方を固定部材とし、他方を可動部材とし、
前記制御部は、前記可動部材を可動し、前記開口部に前記固定部または前記可動部を配置し、前記開口部における前記色彩部材の色彩を、前記第１色彩部分または前記第２色彩部分に変更するものであることを特徴とする請求項２に記載の腕時計。
【請求項９】
時刻を示す為に用いられる複数のインデックスが備えられた文字盤と、
前記インデックスのそれぞれが設けられた領域のうち、少なくとも２以上の領域に前記インデックスを強調するインデックス強調部と、
前記インデックス強調部のそれぞれを制御する制御部と、を備え、
前記インデックス強調部は、前記インデックスを備え、
前記インデックス強調部は、前記文字盤に対して垂直方向に可動であり、
前記制御部は、前記インデックス強調部の前記文字盤からの高さを制御することを特徴とする腕時計。
【請求項１０】
前記インデックス強調部は、カムを備え、
前記制御部は、前記カムを回転させることにより、前記インデックス強調部の前記文字盤からの高さを制御することを特徴とする請求項９に記載の腕時計。
【発明の詳細な説明】
【技術分野】
【０００１】
本発明は、アナログ表示式の腕時計の時刻を視覚的に強調する構造およびその機構に関するものである。
【背景技術】
【０００２】
時刻を強調する腕時計としては、アラーム機能付き腕時計が知られている。アラーム機能付き腕時計は、強調したい時刻またはその直前直後に、聴覚的に時刻を強調することで時刻に特別性を付加し、強調した時刻が何かしらの用事の開始または終了時刻などであることを示すものである。アナログ式腕時計（機械式、電気式の両方を含む）の場合には、単一の時刻を強調するものが多いが、複数の時刻を強調できるものもある。
【０００３】
アナログ式腕時計のアラーム機能付き腕時計は、聴覚的に時刻を強調するものであるが、アラーム時刻を設定するために、一時的または長時間において視覚的にも時刻を強調するものがある。例えばアナログ式腕時計の場合は、通常の時針、分針および秒針（秒針は備えていない場合もある）に加えて、１本のアラーム時刻設定針を備え、アラーム時刻設定針をアラーム時刻に合わせることにより、アラームの設定を行うと共に視覚的に時刻を強調することができる。しかしながら、このような強調手段の場合、現在時刻の誤認を防ぐためにアラーム時刻設定針が時針、分針および秒針よりも細く目立たないように作られているため、読み取り難く、また、アラーム時刻設定針は１本のみのため、強調できる時刻は１回に限定された。
【０００４】
そこで、時刻の視覚的な強調を複数の時刻において行えるものとして、特許文献１の構造がある。特許文献１は、文字盤の外円周上に複数個のアラーム時刻設定用のボタンスイッチが配設されており、さらにアラーム設定がオンになるとボタンが発光するため、アラーム時刻設定針よりも明確に、そして複数の時刻を同時に、視覚的に強調することができる。
【先行技術文献】
【特許文献】
【０００５】
【特許文献１】特開平７−１９８８８０号公報
【発明の概要】
【発明が解決しようとする課題】
【０００６】
ところで、アナログ式腕時計は、機械式と、クオーツ式に代表される電気式の物が存在するが、共に文字盤の内部に複数の輪列などの複雑な機構が存在している。ゆえに特許文献１のようにボタンを発光させるなどの電気的な時刻の強調手段を実施しようとした場合、文字盤内部の計時機構への弊害を避けるため、文字盤の外側に時刻の強調手段を設ける必要があった。しかしながら、文字盤の外側に時刻の強調手段を設けた場合、腕時計が大型化し、デザインの自由度を下げるという問題があった。
【０００７】
そこで、本発明はこのような事情に考慮してなされたもので、その目的は、視覚的な時刻の強調を視認しやすく、かつ複数の時刻において同時に実現すると共に、デザインの自由度を損なわない腕時計を提供することにある。
【課題を解決するための手段】
【０００８】
本発明は、上記の目的を達成するために、以下の手段を提供する。
本発明にかかる腕時計は、時刻を示す為に用いられる複数のインデックスが備えられた文字盤と、インデックスのそれぞれが設けられた領域のうち、少なくとも２以上の領域にインデックスを強調するインデックス強調部と、インデックス強調部のそれぞれを制御する制御部と、を備えることを特徴とするものである。
係る腕時計は、文字盤に供えられたインデックスの領域にインデックス強調部を備えることにより、腕時計を大型化することなく時刻を視覚的に強調することができる。ゆえにデザインの自由度を保つことができる。
【０００９】
本発明にかかる腕時計のインデックス強調部は、インデックスを備えることを特徴とするものである。
係る腕時計は、インデックスが時刻の指示と時刻の強調の両方の役割を果たすことにより、インデックスに加えてインデックスの領域に付加的な構造物を設けずに時刻を強調できるため、デザインの自由度をより保つことができる。
【００１０】
本発明にかかる腕時計の文字盤は、開口部を備え、インデックス強調部は、第１色彩部分と第２色彩部分を有する色彩部材を備え、制御部は、色彩部材を動かすことにより、開口部における色彩部材の色彩を、第１色彩部分または第２色彩部分に変更するものであり、インデックスは、開口部と開口部における第１色彩部分または第２色彩部分とにより構成されることを特徴とする。
係る腕時計は、文字盤におけるインデックスの色彩を変化させることにより、インデックスを強調できるので、強調された時刻の視認がし易くなる。また、インデックスの色彩のみを変化させて時刻を強調することにより、デザインの自由度をより保つことができる。
【００１１】
本発明にかかる腕時計の色彩部材は、回転部材であり、制御部は、回転部材を回転させることにより、第１色彩部分または第２色彩部分の何れかを開口部に選択的に移動させることを特徴とするものである。
係る腕時計は、色彩部分を回転部材とすることで、歯車などを使った簡易な構造設計で制御することが可能になる。
【００１２】
本発明にかかる腕時計の回転部材は、文字盤に対して垂直方向に回転する歯車であり、第１色彩部分と第２色彩部分とは、歯車の文字盤に対向する面に配色されていることを特徴とするものである。
係る腕時計は、歯車自体をインデックスとすることで、部品数を減らすことができると共に、より簡易な構造設計で制御することが可能になる。
【００１３】
本発明にかかる腕時計の回転部材は、文字盤に対して平行方向に回転する歯車であり、第１色彩部分と第２色彩部分とは、歯車の文字盤に対向する面に配色されていることを特徴とするものである。
係る腕時計は、歯車自体をインデックスとすることで、部品数を減らすことができると共に、より簡易な構造設計で制御することが可能になる。
【００１４】
本発明にかかる腕時計の回転部材は、文字盤に対して垂直方向に回転面を有し、長手方向を軸として回転する回転棒であり、第１色彩部分と第２色彩部分とは、回転棒の文字盤に対向しうる面に配色されていることを特徴とする。
係る腕時計は、インデックスをバーインデックスとすることで、バーの形状（長さや柱状）においてデザインの自由度があるため、よりデザインの自由度を保つことができる。
【００１５】
本発明にかかる腕時計の回転部材は、文字盤に対して平行方向に回転する回転羽根であり、第１色彩部分と第２色彩部分とは、回転羽根の文字盤に対向する面に配色されていることを特徴とするものである。
係る腕時計は、二色に配色された回転羽根を動かすことにより、インデックスの色を変化させることで、インデックスの強調を容易に行うことができる。
【００１６】
本発明にかかる腕時計の色彩部材は、第１色彩部分または第２色彩部分のいずれか一方を固定部材とし、他方を可動部材とし、制御部は、可動部材を可動し、開口部に固定部または可動部を配置し、開口部における色彩部材の色彩を、第１色彩部分または第２色彩部分に変更するものであることを特徴とするものである。
係る腕時計は、第１色彩部分と第２色彩部分をそれぞれ別の部材とすることで、可動部材が着色や細かな配色が困難な材料であっても利用することができる。また、固定部材や可動部材そのものの色彩を活かすことができるため、デザインや材料選択の自由度が向上する。
【００１７】
本発明にかかる腕時計のインデックス強調部は、文字盤に対して垂直方向に可動であり、制御部は、インデックス強調部の文字盤からの高さを制御することを特徴とするものである。
係る腕時計は、インデックスを文字盤から盛り上がらせる、もしくは凹ませることで立体的にインデックスを強調することができるため、視認性を向上させることができる。
【００１８】
本発明にかかる腕時計のインデックス強調部は、カムを備え、制御部は、カムを回転させることにより、インデックス強調部の文字盤からの高さを制御することを特徴とするものである。
係る腕時計は、カムを備えることで、インデックスの高さを容易に変化させることができる。ゆえに設計を簡素化できる。
【発明の効果】
【００１９】
本発明による腕時計は、文字盤に供えられたインデックスの領域にインデックス強調部を備えることにより、腕時計を大型化することなく時刻を視覚的に強調することができる。ゆえにデザインの自由度を保つことができる。
【図面の簡単な説明】
【００２０】
【図１】本発明に係る腕時計を文字盤２の上面から見た図。
【図２】腕時計の上位四層を分解して示した図。
【図３】第１実施形態におけるポインタ盤７と制御部１９の構造を拡大して示した図。
【図４】第１実施形態におけるポインタ盤７と制御部１９の断面を示した図。
【図５】第２実施形態におけるポインタ盤７と制御部１９の構造を拡大して示した図。
【図６】第２実施形態におけるポインタ盤７と制御部１９の断面を示した図。
【図７】第３実施形態におけるポインタ盤７と制御部１９の構造を拡大して示した図。
【図８】第３実施形態におけるポインタ盤７と制御部１９の断面を示した図。
【図９】第４実施形態におけるポインタ盤７と制御部１９の構造を拡大して示した図。
【図１０】第４実施形態におけるポインタ盤７と制御部１９の断面を示した図。
【図１１】第５実施形態におけるポインタ盤７と制御部１９の構造を拡大して示した図。
【図１２】第５実施形態におけるポインタ盤７と制御部１９の断面を示した図。
【発明を実施するための形態】
【００２１】
（第１実施形態）
以下、本発明にかかる第１実施形態の構造を図１から図４を参照して説明する。
図１は、本発明に係る腕時計を文字盤２の上面から見た図である。なお、この腕時計は図示しない従来同様のアナログクオーツムーヴメントの内部機構を有し、ステッパーモーター、歯車の輪列、電子回路（発振回路、分周回路、駆動回路）、水晶振動子、電池で駆動する。ただし、内部の計時機構はこの限りではなく、機械式腕時計の計時機構を内蔵していてもよく、またクオーツ式以外の電気式腕時計の計時機構を内蔵していてもよい。
【００２２】
本実施形態の腕時計は、ケース１の内部にアナログ表示式の文字盤２が備えられている。文字盤２は中抜きのドーナツ状の円盤であり、円周上には円周を十二等分するように十二か所に棒状の開口窓１１が開けられている。ただし、開口窓１１は十二か所に限定する必要はなく、また、必ずしも円周上を均等分するように設ける必要はない。開口窓１１の内部（Ｚ方向）下側にはインデックス歯車９が設けられており、開口窓１１からインデックス歯車９の一部を見ることができる。インデックス歯車９は、その側面外周を二色に配色された歯車となっており、ポインタ調整・マーカー設定部１０を文字盤２の中心方向に向かって押しながら操作することにより、回転させることができ、開口窓１１から見える色彩を変化させることができる。インデックス歯車９の二色の色彩のうち、一色を文字盤２の色彩に対して非常に目立つ色（強調色）とすることで、強調色になっている時刻を強調させることができ、強調された時刻に特別性を付加することができる。文字盤２の中抜き部分の一段下にはマーカー設定用ポインタ８を備えた円盤状のポインタ盤７が備えられている。マーカー設定用ポインタ８は、ポインタ調整・マーカー設定部１０を操作することにより、ポインタ盤７と同心円上を回転できるようになっている。ポインタ盤７の中心には、時針４、分針５、秒針６が備えられている。時針４、分針５、秒針６は、竜頭３を操作することにより、時刻を調整することができるようになっている。
【００２３】
図２は、図１に示した腕時計の上位四層を分解して示した図（ケース１を除く）である。まず最上層である一層目に時針４、分針５、秒針６が配置される。その下の層である二層目に、開口窓１１が設けられた文字盤２が配置される。さらにその下の層である三層目にマーカー設定用ポインタ８が備えられたポインタ盤７が配置される。四層目には、開口窓１１から見えるインデックス歯車９の色彩を制御する制御部１９が配置される。
【００２４】
図３は、ポインタ盤７と制御部１９の構造を拡大して示した図である。ポインタ盤７のＺ方向下側には、順に二番大歯車１３と一番大歯車１４が配置される。（状態Ａ）は、マーカー設定用ポインタ８を動かせる状態である。（状態Ｂ）は、インデックス歯車９を動かせる状態である。
【００２５】
（状態Ａ）から（状態Ｂ）への移行について説明する。ポインタ調整・マーカー設定部１０は、ケース１（図１参照）から露出した部分を文字盤２の中心方向に向かって押し込むことにより、ポインタ調整・マーカー設定部１０の中心と文字盤の中心を結んだ直線上において、ポインタ調整・マーカー設定部１０の中心軸を動かすことができるようになっている。これにより、押し込まれた力で、第一レバー１７によりポインタ調整・マーカー設定部１０と繋がった一番ピニオン１５が逃げ、第二レバー１８により一番ピニオン１５と繋がった二番ピニオン１６がポインタ盤７側に引き寄せられ、一番ピニオン１５との噛み合いである（状態Ａ）から、二番ピニオン１６との噛み合いである（状態Ｂ）に移行することができるようになっている。
【００２６】
（状態Ａ）において、一番ピニオン１５は、一番大歯車１４と噛み合う。ポインタ盤７と一番大歯車１４は、中心軸において繋がっており、連動するようになっている。また中歯車１２は、一番大歯車１４のＺ方向上部において、その中心軸が固定されており、中歯車１２のＺ方向直上にマーカー設定用ポインタ８が同時に動くように備えられている。（状態Ｂ）において、二番ピニオン１６は、二番大歯車１３と噛み合う。二番大歯車１３は、さらに中歯車１２と噛み合い、中歯車１２はインデックス歯車９とも噛み合っている。インデックス歯車９は、十二か所の開口窓１１（図２参照）のＺ方向下側にそれぞれ備えられており、全部で十二個ある。
【００２７】
図４は、図３のポインタ盤７と制御部１９の断面を示した図である。（状態Ａ）は、ポインタ８を、色彩を変化させたいインデックス歯車９に位置させた状態である。（状態Ａ）においては、ポインタ調整・マーカー設定部１０は、一番ピニオン１５と噛み合っている。一番ピニオン１５は、一番大歯車１４と噛み合っている。さらに、一番大歯車１４とポインタ盤７は中心軸において連結されているので、ポインタ調整・マーカー設定部１０を回すと、一番ピニオン１５を介して一番大歯車１４が回転し、さらにポインタ盤７が回転する。マーカー設定用ポインタ８と中歯車１２は、Ｚ軸上において同じ位置にあるので、マーカー設定用ポインタ８を見ながら色彩を変化させたいインデックス歯車９の位置に中歯車１２を位置させることで、インデックス歯車９の色彩を変化させる準備が整う。準備が整った状態で、ポインタ調整・マーカー設定部１０を内側に押し込むと、（状態Ｂ）となる。（状態Ｂ）では、ポインタ調整・マーカー設定部１０と二番ピニオン１６が噛み合っており、さらに二番ピニオン１６は二番大歯車１３と噛み合っている。二番大歯車１３は、クラウン歯車と平歯車の両構造をもつ中歯車１２の平歯車部分と噛み合う。中歯車１２のクラウン歯車部分はインデックス歯車９と噛み合うので、ポインタ調整・マーカー設定部１０を押しながら回すと、二番ピニオン１６と二番大歯車１３と中歯車１２とを介して、インデックス歯車９が回転する。インデックス歯車９が回転することで、開口窓１１から見える色彩が変化するので、これにより時刻の強調またはその解除を行うことができる。
【００２８】
（第２実施形態）
次に、図５と図６に基づいて第２実施形態について説明する。本実施形態は、制御部１９の構造について第１実施形態と相違しており、それ以外の構成、動作手順は第１実施形態とほぼ同様である。なお、以下の説明では、上述した第１実施形態と同様の構成については同様の符号を付し、説明は省略する。
【００２９】
図５は、本実施形態におけるポインタ盤７と制御部１９の構造を示した図である。開口窓１１（図１，２参照）のＺ方向直下には、文字盤２に対して平行方向に回転する二色歯車２１がある。二色歯車２１は中歯車２０と噛み合う平歯車であり、歯車の文字盤２に対向する面が二色に配色されている。配色は、二色のうち一色を強調色にすることで、時刻を強調することができる。例えば、文字盤２が白色である場合、二色歯車２１の一色を黒などのインデックスに適当な色とし、もう一色を赤などの強調色にすると、目立ちやすい。二色歯車２１は、開口窓１１と同数備えられており、全部で十二個ある。ただし、第１実施形態で述べたように、開口窓１１の数は必ずしも十二個である必要はなく、二色歯車２１の数もまた開口窓１１の数に合わせ、十二個でなくてもよい。
【００３０】
図６は、図５のポインタ盤７と制御部１９の断面を示した図である。（状態Ａ）は、ポインタ８を、色彩を変化させたい二色歯車２１に位置させた状態である。（状態Ａ）では、ポインタ調整・マーカー設定部１０は、一番ピニオン１５を介して一番大歯車１４と連動したポインタ盤７を動かすことができる。
【００３１】
一方（状態Ｂ）では、ポインタ調整・マーカー設定部１０は、二番ピニオン１６と二番大歯車１３と中歯車２０を介して二色歯車２１を動かすことができる。二色歯車２１が回転することで、開口窓１１から見える色彩が変化するので、これにより時刻の強調またはその解除を行うことができる。
【００３２】
（第３実施形態）
次に、図７と図８に基づいて第３実施形態について説明する。本実施形態は、制御部１９の構造について第１実施形態と相違しており、それ以外の構成、動作手順は第１実施形態とほぼ同様である。なお、以下の説明では、上述した第１実施形態と同様の構成については同様の符号を付し、説明は省略する。
【００３３】
図７は、本実施形態におけるポインタ盤７と制御部１９の構造を示した図である。ポインタ盤７のＺ方向下側には大カム２６を挟んで大歯車２５が配置してある。ポインタ調整・マーカー設定部２２は、現在時刻設定用竜頭３（図１参照）と同様の竜頭形状となっており、（状態Ａ）では一番冠ピニオン２３と噛み合うようになっている。ポインタ調整・マーカー設定部２２を引くと（状態Ｂ）に切り替わり、ポインタ調整・マーカー設定部２２と二番冠ピニオン２４と噛み合う構造となっている。本実施形態では省略しているが、上記のような竜頭の切り替えを行う際には、ツヅミ車、オシドリ、カンヌキといった切り替え構造を備えている方が望ましい。一番冠ピニオン２３とポインタ盤７は噛み合っており、さらにポインタ盤７と大カム２６は中心軸において連結している。大カム２６はインデックス回転バー２７の位置に一致すると、インデックス回転バー２７を、中心から外側に向かって押し出すようになっている。インデックス回転バー２７は大カム２６が外れると元の位置に戻るように構成されている。インデックス回転バー２７の外側には中抜き柱状の回転インデックス２８が配設されており、インデックス回転バー２７が大カム２６により外側に押し出されると、インデックス回転バー２７の先端部分が回転インデックス２８の中空内部に挿入される。インデックス回転バー２７及び回転インデックス２８は、多角柱であり、インデックス回転バー２７が回転インデックス２８の内部で回転すると、多角形の角が引っかかることにより、回転インデックス２８が回転するようになっている。インデックス回転バー２７と回転インデックス２８はともに開口窓１１（図１，２参照）と同数それぞれ十二個ずつ備えられており、回転インデックス２８は、開口窓１１の直下になるように配設されている。回転インデックス２８の外周側面は、回転インデックス２８の回転に伴い開口窓１１から見える色彩が変化するように二色に配色されている。
【００３４】
図８は、図７のポインタ盤７と制御部１９の断面を示した図である。（状態Ａ）は、ポインタ８と大カム２６が可動状態であり、ポインタ８が色彩を変化させたいインデックス回転バー２７の位置に一致していない状態である。（状態Ａ）においては、ポインタ調整・マーカー設定部２２が一番冠ピニオン２３と噛み合っている状態である。一番冠ピニオン２３は、クラウン歯車と平歯車の両構造をもっており、そのクラウン歯車部分がポインタ調整・マーカー設定部２２と噛み合っている。平歯車部分は、ポインタ盤７と噛み合っており、ポインタ盤７は大カム２６と連動するので、ポインタ調整・マーカー設定部２２を操作すると、マーカー設定用ポインタ８と大カム２６が同時に動く。マーカー設定用ポインタ８を見ながら、大カム２６を、色彩を変化させたい開口窓１１（図１，２参照）に位置させることで、回転インデックス２８の色彩を変化させる準備が整う。準備が整った状態で、ポインタ調整・マーカー設定部２２を引くと、（状態Ｂ）となる。（状態Ｂ）では、ポインタ調整・マーカー設定部２２と二番冠ピニオン２４が噛み合っている。二番冠ピニオン２４は、一番冠ピニオン２３と同様、クラウン歯車と平歯車の両構造をもっており、そのクラウン歯車部分がポインタ調整・マーカー設定部２２と噛み合っている。平歯車部分は、大歯車２５と噛み合っている。大歯車２５もまたクラウン歯車と平歯車の両構造をもっており、その平歯車部分が二番冠ピニオン２４と噛み合っている。大歯車２５のクラウン歯車部分は、インデックス回転バー２７と噛み合っており、ポインタ調整・マーカー設定部２２を操作すると、インデックス回転バー２７と回転インデックス２８を回すことができる。インデックスバーが回転することで、開口窓１１から見える色彩が変化するので、これにより時刻の強調またはその解除を行うことができる。
【００３５】
（第４実施形態）
次に、図９と図１０に基づいて第４実施形態について説明する。本実施形態は、制御部１９の構造について第１実施形態と相違しており、それ以外の構成、動作手順は第１実施形態とほぼ同様である。なお、以下の説明では、上述した第１実施形態と同様の構成については同様の符号を付し、説明は省略する。
【００３６】
図９は、本実施形態におけるポインタ盤４２と制御部１９の構造を示した図である。ポインタ盤４２のＺ方向下側には摩擦車３５を挟んで可動羽根３９が備えられている。ポインタ調整・マーカー設定部２９は、現在時刻設定用竜頭３（図１参照）と同様の竜頭形状となっており、軸には外側から順に一番軸車３０と二番軸車３１及び開閉式のスペーサー４０が備わっている。（状態Ａ）では、一番軸車３０が中歯車３２と噛み合うようになっている。ポインタ調整・マーカー設定部２９を引くと（状態Ｂ）に切り替わり、二番軸車３１と摩擦車３５が噛み合う構造となっている。本実施形態では省略しているが、上記のような竜頭の切り替えを行う際には、ツヅミ車、オシドリ、カンヌキといった切り替え構造を備えている方が望ましい。中歯車３２とポインタ盤４２は噛み合うようになっている。ポインタ盤４２においては、クラウン歯車と、ポインタ盤ゴム４１による摩擦動力伝達と、の両構造を備えており、クラウン歯車部分が中歯車３２と噛み合う。ポインタ盤ゴム４１は、摩擦車３５に備えられた一番摩擦車ゴム３３と接触すると連動するようになっている。スペーサー４０は、摩擦車３５を昇降する役割を担っている。摩擦車３５のＺ方向下側には二番摩擦車ゴム３４が備えられており、これは可動羽根３９に備えられた羽根ゴム３６と接触すると連動するようになっている。可動羽根３９は、羽根軸３７を軸に回転することで開口窓１１（図１，２参照）から見える色彩が変化するように二色に配色されている。一方の配色を強調色にすることで、時刻を強調することができる。また、可動羽根３９のＸＹ平面上の両側には羽根ストッパー３８が備えられており、可動羽根３９は羽根ストッパー３８を越えては回転できないようになっている。可動羽根３９と羽根ストッパー３８は、開口窓１１と同数、それぞれ十二個備えられており、可動羽根３９においては開口窓１１のＺ方向直下に備えられている。
【００３７】
ここで、可動羽根３９は、必ずしも二色に配色されていなくてもよく、単一色であってもよい。例えば、可動羽根３９を単一の強調色とし、可動羽根３９の幅を少し狭くする。この場合、可動羽根３９が開口窓１１の直下にある場合には、開口窓１１からは強調された色彩が視認できる。一方、可動羽根３９が開口窓１１の直下から外れた場合には、可動羽根３９よりもＺ方向下側の構造色が見える。その構造色が、時刻が強調されていない場合の時刻の色彩を担っていてもよい。
【００３８】
図１０は、図９のポインタ盤４２と制御部１９の断面を示した図である。（状態Ａ）は、ポインタ８と摩擦車３５が可動状態である。（状態Ａ）においては、ポインタ調整・マーカー設定部２９と中歯車３２が噛み合っている状態であり、この中歯車３２を介してポインタ盤４２が回転する。さらに、スペーサー４０が開いている状態なので、摩擦車３５がＺ方向正側に持ち上がっており、摩擦車３５に備えられた一番摩擦車ゴム３３とポインタ盤４２に備えられたポインタ盤ゴム４１が接触し、ポインタ盤４２と連動して摩擦車３５が回転するようになっている。色彩を変化させたい開口窓１１（図１，２参照）にポインタ８を位置させると、摩擦車３５に備えられた二番摩擦車ゴム３４が色彩を変化させたい開口窓１１の直下の可動羽根３９上に位置するので、開口窓１１から見える色彩を変化させる準備が整う。準備が整った状態で、ポインタ調整・マーカー設定部２９を引くと、（状態Ｂ）となる。（状態Ｂ）では、二番軸車３１が摩擦車３５に噛み合っている。また、スペーサー４０が閉じた状態になるので、摩擦車３５がＺ方向負側に沈んでおり、摩擦車３５に備えられた二番摩擦車ゴム３４と、可動羽根３９に備えられた羽根ゴム３６が接触した状態になる。これにより、ポインタ調整・マーカー設定部２９を操作すると、摩擦車３５を介して可動羽根３９が羽根ストッパー３８間において回転する。可動羽根３９が回転することで、開口窓１１から見える色彩が変化するので、これにより時刻の強調またはその解除を行うことができる。
【００３９】
（第５実施形態）
次に、図１１と図１２に基づいて第５実施形態について説明する。本実施形態の構成、動作手順の殆どは第３実施形態と同様であり、制御部１９の一部の構成と時刻の強調手段のみ第３実施形態と相違している。なお、以下の説明では、上述した第３実施形態と同様の構成については同様の符号を付し、説明は省略する。
【００４０】
図１１は、本実施形態におけるポインタ盤７と制御部１９の構造を示した図である。本実施形態においては、大カム２６が小カム回転バー４３の位置に一致すると、小カム回転バー４３が中心より外側に向かって押し出される仕組みになっている。小カム回転バー４３は、大カム２６が外れると元の位置に戻るように構成されている。小カム回転バー４３の先端側には、小カム４２が備えられており、小カム回転バー４３が大カム２６により外側に押し出されると、小カム回転バー４３の先端部分は小カム４２の軸穴に挿入されるようになっている。小カム４２のＺ方向直上には昇降インデックス４４が備えられており、小カム４２が回転することにより、昇降インデックス４４はＺ方向に昇降することができる。昇降インデックス４４の上面（ＸＹ平面）全体は文字盤２（図１，２参照）の開口窓１１から見えるようになっており、昇降インデックス４４が文字盤２の平面から立体的に盛り上がることで時刻が強調され、盛り上がった時刻に特別性を付加することができる。小カム回転バー４３、小カム４２及び昇降インデックス４４のセットは開口窓１１と同数、それぞれ十二個備えられており、昇降インデックス４４は開口窓１１よりもやや小さめに形成されていることが望ましい。
【００４１】
図１２は、図１１のポインタ盤７と制御部１９の断面を示した図である。（状態Ａ）は、ポインタ８と大カム２６が可動状態であり、ポインタ８が昇降させたい開口窓１１の位置に一致していない状態である。（状態Ａ）においては、第３実施例の図８（状態Ａ）とほぼ同様の状態であり、ポインタ調整・マーカー設定部２２を操作すると、マーカー設定用ポインタ８と大カム２６が同時に動く。マーカー設定用ポインタ８を強調させたい時刻の開口窓１１（図１，２参照）に位置させると、強調させたい時刻の小カム４２の軸穴に小カム回転バー４３が挿入されるので、昇降インデックス４４を盛り上がらせる準備が整う。準備が整った状態で、ポインタ調整・マーカー設定部２２を引くと、（状態Ｂ）となる。（状態Ｂ）では、ポインタ調整・マーカー設定部２２と二番冠ピニオン２４、二番冠ピニオン２４と大歯車２５および大歯車２５と小カム回転バー４３が噛み合った状態である。小カム回転バー４３の先端は小カム４２の軸穴にセットされているので、ポインタ調整・マーカー設定部２２を操作すると、小カム４２が回転し、昇降インデックス４４を元の位置からＺ方向に盛り上がらせることができる。昇降インデックス４４が開口窓１１から文字盤２の平面より立体的に変化することで、時刻の強調またはその解除を行うことができる。
【符号の説明】
【００４２】
１：ケース
２：文字盤
３：現在時刻設定用竜頭
４：時針
５：分針
６：秒針
７，４２：ポインタ盤
８：マーカー設定用ポインタ
９：インデックス歯車
１０，２２，２９：ポインタ調整・マーカー設定部
１１：開口窓
１２，２０，３２：中歯車
１３：二番大歯車
１４：一番大歯車
１５：一番ピニオン
１６：二番ピニオン
１７：第一レバー
１８：第二レバー
１９：制御部
２１：二色歯車
２３：一番冠ピニオン
２４：二番冠ピニオン
１５：大歯車
２６：大カム
２７：インデックス回転バー
２８：回転インデックス
３０：一番軸車
３１：二番軸車
３３：一番摩擦車ゴム
３４：二番摩擦車ゴム
３５：摩擦車
３６：羽根ゴム
３７：羽根軸
３８：羽根ストッパー
３９：可動羽根
４０：スペーサー
４１：ポインタ盤ゴム
４２：小カム
４３：小カム回転バー
４４：昇降インデックス
【図１】
0005798431.tif 000002
【図２】
0005798431.tif 000003
【図３】
0005798431.tif 000004
【図４】
0005798431.tif 000005
【図５】
0005798431.tif 000006
【図６】
0005798431.tif 000007
【図７】
0005798431.tif 000008
【図８】
0005798431.tif 000009
【図９】
0005798431.tif 000010
【図１０】
0005798431.tif 000011
【図１１】
0005798431.tif 000012
【図１２】
0005798431.tif 000013